(57)【特許請求の範囲】
【請求項１】
ローラーコンベヤの組立て式スタンドにおいて、
このローラコンベアのフレームの両端に、それぞれ取付けられる折曲げ形成した取付け片を備えた台形プレートと、この台形プレートをそれぞれ、外側に支持する対の柱と、この対の柱の鉛直方向に、それぞれ開設した複数の取付け孔と、前記対の柱間に差渡され、かつ前記取付け孔に螺着される止め螺子を介して、当該各柱に取付けられる少なくとも二本の横杆と、この少なくとも二本の横杆を、それぞれ緊締する対の挾持プレートと、この各挾持プレートを圧着する締付け螺子と、前記各柱の下方にそれぞれ設けられ、かつ前記取付け孔と整合する取付け孔を開設した対のベースプレートと、この各ベースプレートと前記各柱の内側を固止する止め螺子と、当該各ベースプレートのそれぞれのベース片に開設した各貫通孔と、前記各ベースプレートにそれぞれ固止され、かつこの各貫通孔と整合する螺孔を備えた各ナットと、この各ナットに螺合され、かつ前記各貫通孔に貫設されるスタンドボルトとで構成し、前記台形プレートの上方に開設した取付孔と、その下方に開設した長孔を利用して、前記柱を揺動可能に設ける構成としたローラーコンベヤの組立て式スタンド。
【請求項２】
ローラーコンベヤの組立て式スタンドにおいて、
このローラコンベアのフレームの両端に、それぞれ取付けられる折曲げ形成した取付け片を備えた対の台形プレートと、この各台形プレートのプレート本体の上方に開設した取付け孔及び当該プレート本体の下部に、かつこのプレート本体の板面に沿って設けた長孔と、この台形プレートをそれぞれ、外側に支持する対の柱と、この対の柱の鉛直方向に、それぞれ開設した複数の取付け孔と、前記対の柱間に差渡され、かつ前記取付け孔に螺着される止め螺子を介して、当該各柱に取付けられる少なくとも二本の横杆と、この少なくとも二本の横杆を、それぞれ緊締する対の挾持プレートと、この各挾持プレートを圧着する締付け螺子と、前記各柱の下方にそれぞれ設けられ、かつ前記取付け孔と整合する取付け孔を開設した対のベースプレートと、この各ベースプレートと前記各柱の内側を固止する止め螺子と、当該各ベースプレートのそれぞれのベース片に開設した各貫通孔と、前記各ベースプレートにそれぞれ固止され、かつこの各貫通孔と整合する螺孔を備えた各ナットと、この各ナットに螺合され、かつ前記各貫通孔に貫設されるスタンドボルトとで構成し、前記プレート本体の取付孔と、前記長孔を利用して、前記柱を揺動可能に設ける構成としたローラーコンベヤの組立て式スタンド。
【請求項３】
請求項１又は請求項２に記載のローラーコンベヤの組立て式スタンドにおいて、
前記少なくとも二本の横杆に、少なくとも対の挾持プレートを設け、この横杆の両端部を緊締する構成としたローラーコンベヤの組立て式スタンド。
【請求項４】
請求項１又は請求項２に記載のローラーコンベヤの組立て式スタンドにおいて、
前記少なくとも二本の横杆を、上下二段に設け、かつこの上下二段の横杆の同じ位置に、対の挾持プレートをそれぞれ設け、この対の挾持プレートを、締付け螺子を介して圧着する構成としたローラーコンベヤの組立て式スタンド。
【請求項５】
請求項１又は請求項２に記載のローラーコンベヤの組立て式スタンドにおいて、
前記台形プレートの下方辺の幅と、前記柱の柱帯部の幅を略同じとし、また前記ベースプレートのベース立上り片と、この柱の柱帯部の内側幅とを略同じ幅とする構造であり、
前記台形プレートを、前記柱の柱帯部の外側に設け、またこのベースプレートのベース立上り片、及びベース片を、この柱の柱帯部の内側に設ける構成としたローラーコンベヤの組立て式スタンド。
【発明の詳細な説明】
【技術分野】
【０００１】
本発明は、ローラーコンベヤ、ボールキャスタ、又は支持台、机等（ローラーコンベヤとする）を支持するための組立て式スタンドに関する。
【背景技術】
【０００２】
従来、この種のローラーコンベヤの組立て式スタンドとして知られている構造は、このローラコンベアのフレームの両端に、それぞれ取付けられる対の台形プレートと、この台形フレームを支持する対の柱と、この柱間に差渡した一枚の横板、又は一本の横杆（柱が長尺の構造では、上下に一枚の横板、又は一本の横杆）と、この各柱を支持するベースプレートと、このベースプレートに立設した調整ボルト（ベースボルト）とで構成されている。そして、この各部材は、現場で容易に、組立て及び／又は分解（解体）可能とすることを特徴とする。
【０００３】
前述した構造の特徴を利用することで、例えば、ローラーコンベヤの形態、寸法、搬送物（物品）の軽重等の種類に、対応できること、また現場において、即座に、かつ有効に対応できること、また安全性の向上と、適格な搬送とが図れること、等の実益がある。そして、また、職場環境に対応できること、さらに緊急時の全ての搬送システムに対応可能であり、重宝すること、等の利点が考えられる。
【０００４】
しかしながら、従来の構造では、柱間に差渡した一枚の横板が、上下及び／又は捻り荷重に対して、充分な強度を備えていないことから、ローラーコンベヤの故障の原因となることがあり得る。また搬送物の重量、スピード等に制限が加えられるケースも考えられ、その工夫が要求される処である。殊に、高い形式の組立て式スタンドにおいては、前述のようなことが発生し易く、その工夫が、要求される処である。
【０００５】
また台形プレート及び／又はベースプレートには、取付け孔を、最低限、必要とする個数を開設した構成とするので、この台形プレート及び／又はベースプレートと、柱との固止が充分でなく、組立て式スタンド全体の強度の低下を招来する虞があって、前述のような改良が考えられる。
【０００６】
そして、この種のローラーコンベヤの組立て式スタンドの先行文献を、列挙すると、下記のような文献（１）、（２）が挙げられる。文献（１）は、特開２００２−１２３１２の「ベルトコンベア」であり、その明細書の中に、スタンドに関する記述がある。［００１３］において、コンベア本体の一側のフレームの始端及び終端に、脚（スタンド）を取付け、この脚でコンベア本体を、水平状態に自立する構造である。そして、この脚が、いかなる構造であるか、明確な説明がなく、従来の構造を利用するものと考えられる。また組立て式か否かも明確でないが、現場において、組立てる構造であると推測できる。そして、この文献（１）と同様な構造が、実開平６−３３８２０の「ローラコンベア」に示されている。次に文献（２）は、特表２００１−５０１５６７の「コンベヤ装置」において文献（１）と同様なスタンドが示されている、例えば、図２において、その全体の姿が示されており、その構造は、文献（１）と同様と考えられる。
【０００７】
尚、数本の横杆（保持ロッド）を、挾持プレート（打抜き橋部材）を介して圧着（固止）する先行文献を挙げると、下記のような文献（３）が挙げられる。文献（３）は、特開平７−１９７３３１号の「精紡機或いは撚糸機」であり、その明細書の中に、数本の保持ロッドを、打抜き橋部材を介して、結合（固止）し、剛性を確保する構造が開示されている。そして、この保持ロッドは、中間スタンドに架承される構造である。尚、中間スタンドは、通常の柱体と考えられる。
【０００８】
【特許文献１】特開２００２−１２３１２
【特許文献２】特表２００１−５０１５６７
【特許文献３】特開平７−１９７３３１号
【発明の開示】
【発明が解決しようとする課題】
【０００９】
前述した文献（１）、文献（２）に開示されているスタンドは、その説明及び／又は図示よりして、一体構造と考えられるので、その名称は、本発明と同じであっても、基本的な構造が全く異なると考えられる。また本発明と、利用分野は、類似すると考えられるが、前述の如く、その基本的な構造が相違する。
【００１０】
また文献（３）に開示されている保持ロッドの結合構造は、圧着を意図する構造でなく、本発明とは、前述の如く、その基本的な構造が相違する。
【課題を解決するための手段】
【００１１】
請求項１の発明は、柱間に架承した少なくとも二本の横杆と、この横杆を圧着する挾持プレートを介して組立てる、組立て式スタンドであるので、柱に対する上下及び／又は捻り荷重に対して、充分な強度を備える構造とすること、またこの強度を備えていることから、ローラーコンベヤの故障の原因とならないこと等を意図する。また請求項１の発明は、台形プレート及び／又はベースプレートには、最低限必要とする取付け孔の数に、さらに付加し、少なくとも一個の取付け孔を開設する構成としたので、この台形プレート及び／又はベースプレートと、柱との固止の強固を図ること、又は組合せに余裕を持たせて、この組合せの容易化と、汎用性の向上（スタンドの高さの調整を可能とする）を図ること等を意図する。
【００１２】
請求項１は、ローラーコンベヤの組立て式スタンドにおいて、
このローラコンベアのフレームの両端に、それぞれ取付けられる折曲げ形成した取付け片を備えた台形プレートと、この台形プレートをそれぞれ、外側に支持する対の柱と、この対の柱の鉛直方向に、それぞれ開設した複数の取付け孔と、前記対の柱間に差渡され、かつ前記取付け孔に螺着される止め螺子を介して、当該各柱に取付けられる少なくとも二本の横杆と、この少なくとも二本の横杆を、それぞれ緊締する対の挾持プレートと、この各挾持プレートを圧着する締付け螺子と、前記各柱の下方にそれぞれ設けられ、かつ前記取付け孔と整合する取付け孔を開設した対のベースプレートと、この各ベースプレートと前記各柱の内側を固止する止め螺子と、当該各ベースプレートのそれぞれのベース片に開設した各貫通孔と、前記各ベースプレートにそれぞれ固止され、かつこの各貫通孔と整合する螺孔を備えた各ナットと、この各ナットに螺合され、かつ前記各貫通孔に貫設されるスタンドボルトとで構成し、前記台形プレートの上方に開設した取付孔と、その下方に開設した長孔を利用して、前記柱を揺動可能に設ける構成としたローラーコンベヤの組立て式スタンドである。
【００１３】
請求項２の発明は、柱間に架承した少なくとも二本の横杆と、この横杆を圧着する挾持プレート及び／又は締付け螺子を介して組立てる、組立て式スタンドであるので、柱に対する上下及び／又は捻り荷重に対して、充分な強度と、剛性とを備える構造とすること、またこの強度等を備えていることから、ローラーコンベヤの故障の原因とならないこと等を意図する。また請求項２の発明は、台形プレート及び／又はベースプレートには、最低限必要とする取付け孔の数に、さらに付加し、少なくとも一個の取付け孔を開設する構成としたので、この台形プレート及び／又はベースプレートと、柱との固止を、この余分の取付け孔を必要により、選択することで、このスタンドの強固の向上を図ること、又は組合せに余裕を持たせて、この組合せの容易化と、汎用性の向上（スタンドの高さの調整を可能とする）を図ること等を意図する。
【００１４】
請求項２は、ローラーコンベヤの組立て式スタンドにおいて、
このローラコンベアのフレームの両端に、それぞれ取付けられる折曲げ形成した取付け片を備えた対の台形プレートと、この各台形プレートのプレート本体の上方に開設した取付け孔及び当該プレート本体の下部に、かつこのプレート本体の板面に沿って設けた長孔と、この台形プレートをそれぞれ、外側に支持する対の柱と、この対の柱の鉛直方向に、それぞれ開設した複数の取付け孔と、前記対の柱間に差渡され、かつ前記取付け孔に螺着される止め螺子を介して、当該各柱に取付けられる少なくとも二本の横杆と、この少なくとも二本の横杆を、それぞれ緊締する対の挾持プレートと、この各挾持プレートを圧着する締付け螺子と、前記各柱の下方にそれぞれ設けられ、かつ前記取付け孔と整合する取付け孔を開設した対のベースプレートと、この各ベースプレートと前記各柱の内側を固止する止め螺子と、当該各ベースプレートのそれぞれのベース片に開設した各貫通孔と、前記各ベースプレートにそれぞれ固止され、かつこの各貫通孔と整合する螺孔を備えた各ナットと、この各ナットに螺合され、かつ前記各貫通孔に貫設されるスタンドボルトとで構成し、前記プレート本体の取付孔と、前記長孔を利用して、前記柱を揺動可能に設ける構成としたローラーコンベヤの組立て式スタンドである。
【００１５】
請求項３の発明は、請求項１又は請求項２の目的を達成すること、この目的を達成するのに、最適な横杆と挾持プレートの構造を提供することを意図する。
【００１６】
請求項３は、請求項１又は請求項２に記載のローラーコンベヤの組立て式スタンドにおいて、
前記少なくとも二本の横杆に、少なくとも対の挾持プレートを設け、この横杆の両端部を緊締する構成としたローラーコンベヤの組立て式スタンドである。
【００１７】
請求項４の発明は、請求項１又は請求項２の目的を達成すること、この目的を達成するのに、最適で、かつ組付けの容易な横杆と挾持プレートの構造を提供することを意図する。
【００１８】
請求項４は、請求項１又は請求項２に記載のローラーコンベヤの組立て式スタンドにおいて、
前記少なくとも二本の横杆を、上下二段に設け、かつこの上下二段の横杆の同じ位置に、対の挾持プレートをそれぞれ設け、この対の挾持プレートを、締付け螺子を介して圧着する構成としたローラーコンベヤの組立て式スタンドである。
【００１９】
請求項５の発明は、請求項１又は請求項２の目的を達成すること、この目的を達成するのに、最適な台形プレートと柱の構造を提供することを意図する。
【００２０】
請求項５は、請求項１又は請求項２に記載のローラーコンベヤの組立て式スタンドにおいて、
前記台形プレートの下方辺の幅と、前記柱の柱帯部の幅を略同じとし、また前記ベースプレートのベース立上り片と、この柱の柱帯部の内側幅とを略同じ幅とする構造であり、
前記台形プレートを、前記柱の柱帯部の外側に設け、またこのベースプレートのベース立上り片、及びベース片を、この柱の柱帯部の内側に設ける構成としたローラーコンベヤの組立て式スタンドである。
【発明の効果】
【００２１】
請求項１の発明は、ローラーコンベヤの組立て式スタンドにおいて、
ローラコンベアのフレームの両端に、それぞれ取付けられる折曲げ形成した取付け片を備えた台形プレートと、台形プレートをそれぞれ、外側に支持する対の柱と、対の柱の鉛直方向に、それぞれ開設した複数の取付け孔と、対の柱間に差渡され、かつ取付け孔に螺着される止め螺子を介して、各柱に取付けられる少なくとも二本の横杆と、少なくとも二本の横杆を、それぞれ緊締する対の挾持プレートと、各挾持プレートを圧着する締付け螺子と、各柱の下方にそれぞれ設けられ、かつ取付け孔と整合する取付け孔を開設した対のベースプレートと、各ベースプレートと各柱の内側を固止する止め螺子と、各ベースプレートのそれぞれのベース片に開設した各貫通孔と、各ベースプレートにそれぞれ固止され、かつ各貫通孔と整合する螺孔を備えた各ナットと、各ナットに螺合され、かつ各貫通孔に貫設されるスタンドボルトとで構成し、台形プレートの上方に開設した取付孔と、下方に開設した長孔を利用して、柱を揺動可能に設ける構成としたローラーコンベヤの組立て式スタンドである。
【００２２】
従って、請求項１は、柱間に架承した少なくとも二本の横杆と、この横杆を圧着する挾持プレートを介して組立てる、組立て式スタンドであるので、柱に対する上下及び／又は捻り荷重に対して、充分な強度を備える構造となること、またこの強度を備えていることから、ローラーコンベヤの故障の原因とならないこと等の特徴を有する。また請求項１は、台形プレート及び／又はベースプレートには、最低限必要とする取付け孔の数に、さらに付加し、少なくとも一個の取付け孔を開設する構成としたので、この台形プレート及び／又はベースプレートと、柱との固止の強固を図ること、又は組合せに余裕を持たせて、この組合せの容易化と、汎用性の向上（スタンドの高さの調整を可能とする）が図れること等の実益を有する。
【００２３】
請求項２の発明は、ローラーコンベヤの組立て式スタンドにおいて、
ローラコンベアのフレームの両端に、それぞれ取付けられる折曲げ形成した取付け片を備えた対の台形プレートと、各台形プレートのプレート本体の上方に開設した取付け孔及び当該プレート本体の下部に、かつプレート本体の板面に沿って設けた長孔と、台形プレートをそれぞれ、外側に支持する対の柱と、対の柱の鉛直方向に、それぞれ開設した複数の取付け孔と、対の柱間に差渡され、かつ取付け孔に螺着される止め螺子を介して、各柱に取付けられる少なくとも二本の横杆と、少なくとも二本の横杆を、それぞれ緊締する対の挾持プレートと、各挾持プレートを圧着する締付け螺子と、各柱の下方にそれぞれ設けられ、かつ取付け孔と整合する取付け孔を開設した対のベースプレートと、各ベースプレートと各柱の内側を固止する止め螺子と、各ベースプレートのそれぞれのベース片に開設した各貫通孔と、各ベースプレートにそれぞれ固止され、かつ各貫通孔と整合する螺孔を備えた各ナットと、各ナットに螺合され、かつ各貫通孔に貫設されるスタンドボルトとで構成し、プレート本体の取付孔と、長孔を利用して、柱を揺動可能に設ける構成としたローラーコンベヤの組立て式スタンドである。
【００２４】
従って、請求項２は、柱間に架承した少なくとも二本の横杆と、この横杆を圧着する挾持プレート及び／又は締付け螺子を介して組立てる、組立て式スタンドであるので、柱に対する上下及び／又は捻り荷重に対して、充分な強度と、剛性とを備えた構造となること、またこの強度等を備えていることから、ローラーコンベヤの故障の原因とはならないこと等の特徴を有する。また請求項２は、台形プレート及び／又はベースプレートには、最低限必要とする取付け孔の数に、さらに付加し、少なくとも一個の取付け孔を開設する構成としたので、この台形プレート及び／又はベースプレートと、柱との固止を、この余分の取付け孔を必要により、選択できることで、このスタンドの強固の向上が図れること、又は組合せに余裕を持たせて、この組合せの容易化と、汎用性の向上（スタンドの高さの調整を可能とする）が図れること等の実益を有する。
【００２５】
請求項３の発明は、請求項１又は請求項２に記載のローラーコンベヤの組立て式スタンドにおいて、
少なくとも二本の横杆に、少なくとも対の挾持プレートを設け、横杆の両端部を緊締する構成としたローラーコンベヤの組立て式スタンドである。
【００２６】
従って、請求項３は、請求項１又は請求項２の目的を達成できること、この目的を達成するのに、最適な横杆と挾持プレートの構造を提供できること等の特徴を有する。
【００２７】
請求項４の発明は、請求項１又は請求項２に記載のローラーコンベヤの組立て式スタンドにおいて、
少なくとも二本の横杆を、上下二段に設け、かつ上下二段の横杆の同じ位置に、対の挾持プレートをそれぞれ設け、対の挾持プレートを、締付け螺子を介して圧着する構成としたローラーコンベヤの組立て式スタンドである。
【００２８】
従って、請求項４は、請求項１又は請求項２の目的を達成できること、この目的を達成するのに、最適で、かつ組付けの容易な横杆と挾持プレートの構造を提供できること等の特徴を有する。
【００２９】
請求項５の発明は、請求項１又は請求項２に記載のローラーコンベヤの組立て式スタンドにおいて、
台形プレートの下方辺の幅と、前記柱の柱帯部の幅を略同じとし、またベースプレートのベース立上り片と、柱の柱帯部の内側幅とを略同じ幅とする構造であり、
台形プレートを、前記柱の柱帯部の外側に設け、またベースプレートのベース立上り片、及びベース片を、柱の柱帯部の内側に設ける構成としたローラーコンベヤの組立て式スタンドである。
【００３０】
従って、請求項５は、請求項１又は請求項２の目的を達成できること、この目的を達成するのに、最適な台形プレートと柱の構造を提供できること等の特徴を有する。
【発明を実施するための最良の形態】
【００３１】
以下、本発明の実施の態様（形態）を説明する。
【００３２】
先ず、図面の説明をすると、図１は立ちの高い（第一実施例の）組立て式スタンド（組立て式のスタンド）を示した斜視図、図２は第一実施例の正面図、図３は第一実施例の側面図、図４は第一実施例の分解斜視図、また図５は立ちの低い（第二実施例の）組立て式スタンド（組立て式のスタンド）を示した斜視図、図６は第二実施例の正面図、図７は第二実施例の側面図、図８は第二実施例の分解斜視図である。
【００３３】
図中Ａはローラーコンベヤで、Ａ１はそのフレームを示し、またＢは組立て式スタンドを示している。
【００３４】
この組立て式スタンドＢの第一実施例は、次のように構成される。
【００３５】
図中１は台形プレートで、この台形プレート１は、折曲げ形成した取付け片１ａと、この取付け片１ａの鉛直方向に設けた台形形状（一例であり、略三角形状等の他の形状も可能である。但し、下方の幅が、後述する柱の柱帯部と同じとする）のプレート本体１ｂとで構成する。そして、この取付け片１ａの長手方向（折曲げ方向と直交する方向）の両端には、対で開設した取付け用の孔１００を開設し、またプレート本体１ｂには、上方に取付け孔１０１と、下方に長孔１０２を開設する。この取付け片１ａの孔１００と、この孔１００より螺入される止め具（図示せず）を介して、フレームＡ１の両端Ａ１−１、Ａ１−２に固止される。そして、この際に、長孔１０２の位置を、後述する柱に開設した取付け孔に螺入した止め螺子に対して、移動できるので、この台形プレート１のプレート本体１ｂを支持する対の柱は、取付け孔１０１に螺入した止め螺子１０３を支点に、揺動可能となっている。この揺動を介して、フレームＡ１の両端Ａ１−１、Ａ１−２の傾きに、対応できる。尚、長孔１０２は、前記揺動を考慮し、曲面形状を呈する。
【００３６】
また図中２はチャンネル形の柱で、この柱２の柱帯部２ａには、その軸芯方向に多数の取付け孔２００が等間隔で開設されている。
【００３７】
図中３は横杆で、この横杆３は、少なくとも二本が一組の構造であるが、補強のために三本以上を一組とすることも可能である。そして、この横杆３の両端の内側に、螺子３００を刻設し、この螺孔３０１を設ける。この螺孔３０１は、前記柱帯部２ａに開設した取付け孔２００に整合する。そこで、この横杆３を柱２１間に固止する構造を説明すると、前述の如く、横杆３の左右の螺孔３０１を、対の柱２の取付け孔２００にそれぞれ整合し、この整合した状態で、両取付け孔２００より止め螺子３０２を貫通し、螺子３００に螺合（次の止め螺子３０２と調整を図り螺合「螺嵌」）することで、この横杆３が、対の柱２の所定の箇所に固止される。続いて、例えば、対の柱２の取付け孔２００を一個、空ける。同様にして、次の横杆３’の左右の螺孔３０１’を、対の柱２の取付け孔２００にそれぞれ整合し、この整合した状態で、両取付け孔２００より止め螺子３０２’を貫通し、螺子３００’に螺合することで、この横杆３’が、対の柱２の所定の箇所に固止される。そして、この固止された横杆３、３’を、少なくとも対の挾持プレート４の両端に設けた凹部４００で抱持し、この挾持プレート４の取付け孔４０２に貫設した締付け螺子４０１を介して、圧着（緊締）して固止する。そして、この図例の如く、横杆３、３’の両端部を圧着することで、この横杆３、３’と柱２との強固な緊締が図れる。そして、凹部４００で、この横杆３、３’を抱持することで、当該横杆３、３’及び／又は柱２に対する略全ての荷重に対応できる特徴を有する。尚、この例では、横杆３、３’を対に配置する構造とし、この柱２の上下に固止する。
【００３８】
次に図中６はベースプレートで、このベースプレート６は側面視してＬ字形をしており、べース立上り片６ａと、べース片６ｂとで構成されており、このべース立上り片６ａには、柱２の取付け孔２００に整合する取付け孔６００を開設し、またべース片６ｂには、貫通穴６０１を開設するとともに、この貫通孔６０１に整合する螺孔６０２ａを備えたナット６０２を設ける構造である。そして、前記柱２の取付け孔２００に、このべース立上り片６ａの取付け孔６００を整合し（整合孔を形成し）、この整合孔に止め螺子８を嵌入し、この止め螺子８にナット９を介して緊締することで、柱２に、このベースプレート６が固止される。尚、このべース片６ｂには、スタンドボルト７が取付けられるが、この一例では、スタンドボルト７の軸部に刻設した螺子７００を、ナット６０２の螺孔６０２ａに螺合し、その自由端を、貫通孔６０１に挿入することで、このスタンドボルト７が取付けられる。この左右のスタンドボルト７を調整し、柱２と台形プレート１の水平等の姿勢を確保する。
【００３９】
次に、この組立て式スタンドＢの組立ての一例を説明すると（対の構造の例では、一方側を説明する）、柱２の上方に台形プレート１を取付けるが、前述の如く、この台形プレート１のプレート本体１ｂに開設した取付け孔１０１と、柱２の取付け孔２００を整合した整合孔に止め螺子１０３を貫通し、この止め螺子１０３にナット１０４を螺合することで、この台形プレート１は、柱２に固止される。また柱２の下方には、ベースプレート６及び／又はスタンドボルト７が固止される。先ず、柱２の取付け孔２００に、べースプレート６の立上り片６ａに開設した取付け孔６００を整合した整合孔に止め螺子８を螺合することで、柱２の下方に、べースプレート６が固止される。またスタンドボルト７は、ベースプレート６に開設した貫通孔６０１と整合する螺孔６０２ａを備えたナット６０２に螺合され、ベースプレート６に固止される。そして、このベースプレート６には、前述の如く、スタンドボルト７が取付けられる。以上の操作で、一方の柱２の上方に台形プレート１が取付けられ、また柱２の下方に、スタンドボルト７付きのべースプレート６が取付けられる。また他方の柱２にも、同様な操作を介して、台形プレート１と、スタンドボルト７付きのべースプレート６が取付けられる。
【００４０】
そこで、この台形プレート１と、べースプレート６付きの柱２間に、横杆３、３’を取付ける（組立てる）操作を説明すると、横杆３の左右の螺孔３０１を、対の柱２の取付け孔２００にそれぞれ整合した整合孔に、この両取付け孔２００より止め螺子３０２を貫通し、螺子３００に螺合することで、この横杆３を、柱２間の所定の箇所に固止する。同様な操作を介して、他方の横杆３’を、柱２間の所定の箇所に固止する。そして、この固止された、横杆３、３’の両端部を、挾持プレート４、４を介して圧着する。この圧着を介して、当該横杆３、３’と柱２との強固な緊締が図れることで、例えば、この組立て式スタンドＢは、搬送物及び／又はローラコンベアの重量・荷重に耐え得る構造となる。尚、この第一実施例では、この横杆３、３’と柱２との強固な緊締を二箇所で行い、長い柱２を強固に支持する構造である。また台形プレート１及び／又はべースプレート６に余分の取付け孔（番号付さず）を開設することで、止め螺子１０３と、ナット１０４を、二本以上による複合での緊締、また止め螺子８と、ナット９を、二本以上による複合での緊締を図ることが可能となり、例えば、更なる強度・体裁等の向上と、破損時の保護に役立てることも可能である。
【００４１】
そして、この組立て式スタンドＢの第二実施例は、次のように構成される。
【００４２】
この第二実施例は、基本的には、第一実施例と、同様であり、その相違点を述べると、柱２の長さが短く、これに準じて、横杆３を二本一組としたことであり、その他の構造は、第一実施例に準ずる。
【図面の簡単な説明】
【００４３】
【図１】図１は立ちの高い（第一実施例の）組立て式スタンド（組立て式のスタンド）を示した斜視図
【図２】図２は第一実施例の正面図
【図３】図３は第一実施例の側面図
【図４】図４は第一実施例の分解斜視図
【図５】図５は立ちの低い（第二実施例の）組立て式スタンド（組立て式のスタンド）を示した斜視図
【図６】図６は第二実施例の正面図
【図７】図７は第二実施例の側面図
【図８】図８は第二実施例の分解斜視図
【符号の説明】
【００４４】
１          台形プレート
１ａ          取付け片
１ｂ          プレート本体
１００          孔
１０１          取付け孔
１０２          長孔
１０３          止め螺子
１０４          ナット
２          柱
２ａ          柱帯部
２００          取付け孔
３          横杆
３００          螺子
３０１          螺孔
３０２          止め螺子
３’           横杆
３００’          螺子
３０１’          螺孔
３０２’           止め螺子
４          挾持プレート
４００          凹部
４０１          締付け螺子
４０２          取付け孔
６          ベースプレート
６ａ          ベース立上り片
６ｂ          ベース片
６００          取付け孔
６０１          貫通孔
６０２          ナット
６０２ａ          螺孔
７          スタンドボルト
７００          螺子
８          止め螺子
９          ナット
Ａ          ローラーコンベヤ
Ａ１          フレーム
Ａ１−１          端
Ａ１−２          端
Ｂ          組立て式スタンド
【図１】
0005237586.tif 000002
【図２】
0005237586.tif 000003
【図３】
0005237586.tif 000004
【図４】
0005237586.tif 000005
【図５】
0005237586.tif 000006
【図６】
0005237586.tif 000007
【図７】
0005237586.tif 000008
【図８】
0005237586.tif 000009